(57)【特許請求の範囲】
【請求項１】
人体の腹壁に造設されたストーマに装着するパウチ用の布製のカバーであって、
上縁部が閉塞した平袋状であって前記パウチを収納する収納部，
前記上縁部に沿って設けられており人体の胴部に巻回される紐部，
前記パウチのストーマ側との連結部に対応する位置及び大きさであって、前記収納部に形成されている挿通口，
前記収納部の両側縁に形成されており、前記パウチを固定するためのベルトを通すベルト通し穴，
前記収納部の下方の幅が、収納されたパウチの対応する位置の幅よりも狭くなるように形成された絞り部，
前記収納部の少なくとも一方の側縁に形成されており、前記パウチを出し入れするための開き部，
該開き部に形成されており、前記収納部の一方の主面から前記側縁を超えて他方の主面に延設された折り返し片，
該折り返し片と、前記収納部の他方の主面の側縁近傍とに設けられた開閉具，
を備えたことを特徴とするパウチカバー。
【請求項２】
前記収納部の下端であって前記パウチの排泄口に対応する位置に、開口部を設けたことを特徴とする請求項１記載のパウチカバー。
【請求項３】
前記開閉具が、面テープであることを特徴とする請求項１又は２記載のパウチカバー。
【発明の詳細な説明】
【技術分野】
【０００１】
本発明は、人体の腹壁に造設されたストーマに装着されるパウチ用のカバーに関し、更に具体的には、使用状態における肌荒れの防止と形状の整形に関するものである。
【背景技術】
【０００２】
人体の腹壁に造設される人工肛門や人工膀胱などのストーマには、排泄物を溜めるためのパウチが装着される。前記パウチは、連結口を直接ストーマに接続するか、あるいは、前記連結口をフランジと呼ばれる皮膚保護剤を介して前記ストーマに接続される。このようなパウチは、本体部分が直に皮膚に触れていると、汗をかいた時に肌荒れをおこす場合があるため、布製のカバーを装着して利用されることがある。例えば、下記特許文献１には、人体の腰に巻回してこれを該腰に固定する引き止め部と、引き止め部に設けられた懸吊部とを備え、懸吊部にはパウチ連結部を挿通可能とする挿通孔を設け、挿通孔近傍に前記パウチ連結部に連結するパウチを収納する袋状部を設けたパウチカバーが開示されている。
【特許文献１】特開平１０−３３５７９号公報
【発明の開示】
【発明が解決しようとする課題】
【０００３】
しかしながら、以上のような背景技術では、前記袋状部がパウチの外形よりも大きく形成されているため、排泄物が溜まりだすと、パウチ及びカバーの下方が大きく膨らんでしまい、服の上からでもパウチを装着していることが分かったり、見栄えが低下したりするという不都合がある。
【０００４】
本発明は、以上の点に着目したもので、その目的は、肌荒れを防止するとともに、使用中のパウチに排泄物が溜まったときに、該パウチの厚みの偏りを低減するように整形可能なパウチカバーを提供することである。
【課題を解決するための手段】
【０００５】
前記目的を達成するため、本発明は、人体の腹壁に造設されたストーマに装着するパウチ用の布製のカバーであって、上縁部が閉塞した平袋状であって前記パウチを収納する収納部，前記上縁部に沿って設けられており人体の胴部に巻回される紐部，前記パウチのストーマ側との連結部に対応する位置及び大きさであって、前記収納部に形成されている挿通口，前記収納部の両側縁に形成されており、前記パウチを固定するためのベルトを通すベルト通し穴，前記収納部の下方の幅が、収納されたパウチの対応する位置の幅よりも狭くなるように形成された絞り部，前記収納部の少なくとも一方の側縁に形成されており、前記パウチを出し入れするための開き部，該開き部に形成されており、前記収納部の一方の主面から前記側縁を超えて他方の主面に延設された折り返し片，該折り返し片と、前記収納部の他方の主面の側縁近傍とに設けられた開閉具，を備えたことを特徴とする。
【０００６】
主要な形態の一つは、前記収納部の下端であって前記パウチの排泄口に対応する位置に、開口部を設けたことを特徴とする。
【０００７】
更に他の形態は、前記開閉具が、面テープであることを特徴とする。本発明の前記及び他の目的，特徴，利点は、以下の詳細な説明及び添付図面から明瞭になろう。
【発明の効果】
【０００８】
本発明は、ストーマに装着するパウチを収納する収納部と、人体の胴部に巻回される紐を備えたパウチ用の布製のカバーにおいて、前記収納部に、パウチ出し入れ用の挿通口と、パウチ固定用のベルトの通し穴を設けるとともに、前記収納部の下方の幅が、収納されたパウチの対応する位置の幅よりも狭くなった絞り部を設けることとした。このため、前記パウチに排泄物が溜まったときでも、前記絞り部で押さえることによって、パウチ下方の膨らみを低減できるという効果が得られる。また、前記ベルト通し穴を設けるため、固定ベルトの併用が可能となり、パウチを一層安定して固定することができる。
【発明を実施するための最良の形態】
【０００９】
以下、本発明を実施するための最良の形態を、実施例に基づいて詳細に説明する。
【実施例１】
【００１０】
最初に、図１(A)及び図２，図３を参照しながら本発明の実施例１を説明する。図１(A)は本実施例のパウチカバーの外観斜視図，図２は、本実施例のパウチカバーへのパウチの収納手順を示す図である。図３は、本実施例と比較例のパウチカバーの使用時の様子を示す正面図及び側面図であり、(A-1)は本実施例の正面図，(A-2)は本実施例の側面図，(B-1)は比較例の正面図，(B-1)は比較例の側面図である。
【００１１】
本発明のパウチカバーは、人体の腹壁に造設された人工肛門や人工膀胱などのストーマに装着されるパウチ用のカバーであって、全体が肌触りの良い布地（さらしやガーゼなど）によって形成されている。なお、以下の例では、尿を溜めるためのパウチを例に挙げて説明する。前記パウチ３０は、図３(B-1)に示すように、ストーマ側との連結口３２を上方に有するとともに、下方には排泄物を出すための排泄口３６が設けられている。前記連結口３２は略環状となっており、その縁部には、固定ベルト３８Ａ，３８Ｂの先端に設けられたフック３９Ａ，３９Ｂと係合するループ３４Ａ，３４Ｂが設けられている。
【００１２】
図１(A)に示すように、パウチカバー１０は、前記パウチ３０を収納する収納部１２と、人体の胴部に巻回される紐１４によって構成されている。前記収納部１２は、上縁部が閉塞した平袋状であって、前記上縁部に沿って前記紐１４が縫い付けなどの任意の手段で取り付けられ、下端側には、前記パウチ３０の排泄口３６を受ける筒部１８が形成されている。該筒部１８の下端には開口２４が形成されている。また、前記収納部１２の上半分以上の部分は、前記パウチ３０の対応する位置より若干幅が大きくなるように形成されているが、前記収納部１２の下方は、前記筒部１８にかけて、前記パウチ下部３０Ａの幅よりも狭くなるように絞り部１６が形成されている。
【００１３】
前記収納部１２の主面１２Ａの上縁部近傍には、前記パウチ３０の連結口３２と略同一形状及び寸法の挿通口２０Ａが設けられている。該挿通口２０Ａは、前記パウチ３０を収納部１２に出し入れするためのものであって、主面１２Ａにのみ形成してもよいが、図１(A)に点線で示すように、他方の主面１２Ｂにも挿通口２０Ｂを設けるようにしてもよい。両主面に挿通口を設けることにより、一方の主面に設ける場合よりも、パウチ３０の収納作業が容易となる。また、前記収納部１２の両方の側縁１３Ａ，１３Ｂの上方には、パウチ固定用の固定ベルト３８Ａ，３８Ｂを通すためのベルト通し穴２２Ａ，２２Ｂが形成されている。
【００１４】
次に、図２及び図３を参照しながら、本実施例の作用を説明する。まず、図２(A)に示すように、挿通口２０Ａから空のパウチ３０を収納部１２に押し込む。そして、前記筒部１８の開口２４からパウチ３０の排泄口３６付近を引っ張りながら形を整え、パウチ３０の連結口３２と前記挿通口２０Ａの位置を合わせるとともに、排泄口３６を筒部１８の内側におさめる。次に、図２(B)に示すように、前記収納部１２のベルト通し穴２２Ａ，２２Ｂから、固定ベルト３８Ａ，３８Ｂを通し、その先端のフック３９Ａ，３９Ｂを、前記連結口３２のループ３４Ａ，３４Ｂに係合させる。そして、前記パウチ３０の連結口３２を、装着者の図示しないストーマに連結し、前記紐１４及び固定ベルト３８Ａ，３８Ｂを装着者の胴体に巻回して、パウチ３０及びパウチカバー１０を固定する。
【００１５】
このように装着した状態で、前記パウチ３０に排泄物４２が溜まると、本実施例では、図３(A-1)に示すように、パウチ下部３０Ａが、前記パウチカバー１０の絞り部１６によって押さえられているため、前記下部３０Ａの厚みが大きく膨張することがない。すなわち、図３(A-2)に示すように、下部３０Ａと上部の厚みが極度に変わらないように、厚みを整えることができる。
【００１６】
ここで、比較例について説明する。図３(B-1)に示す比較例のパウチカバー１００は、収納部１０２の上方に挿通口１０６を備えており、下方には排泄口３６を受ける筒部１０４が形成されている。前記収納部１０２の両側縁上方には、固定ベルト３８Ａ，３８Ｂ用のベルト通し穴１０８Ａ，１０８Ｂが設けられている。前記パウチカバー１００では、前記収納部１０２は、前記パウチ３０の本体部分と略同一形状であって、若干寸法が大きく形成されている。このようなパウチカバー１００にパウチ３０を収納した場合、排泄物４２が溜まってくると、パウチ３０及びパウチカバー１００の双方が変形可能なため、図３(B-2)に示すように、下方の厚みが上方に比べて極端に厚くなる。すると、服の上からでもパウチ３０を装着していることが分かったり、見栄えが悪くなったりしてしまう。
【００１７】
前記比較例に対し、本実施例では、パウチ３０の下部３０Ａよりも幅が狭くなるように収納部１２の下方に絞り部１６を設けたので、排泄物４２が溜まっても、下方が極端に膨らまないように押さえて、形を整えることができる。なお、パウチ３０に溜まった排泄物４２は、前記開口２４から排泄口３６を引き出し、該排泄口３６からトイレなどに捨てて処分する。
【００１８】
このように、実施例１によれば、次のような効果がある。
(1)パウチカバー１０の収納部１２の下方に、パウチ下部３０Ａよりも幅が狭い絞り部１６を設けることとしたので、パウチ３０に排泄物４２が溜まっても、下方の厚みが極端に増さないよう押さえて、形を整えることができる。
(2)収納部１２の表裏の主面１２Ａ，１２Ｂに挿通口２０Ａ，２０Ｂを設けることとしたので、パウチの出し入れが容易であり、形も整えやすい。
(3)収納部１２の下端部に開口２４を設けることとしたので、収納部１２に差し込んだパウチ３０を引っ張って形を整えることができる。
(4)収納部１２の両側縁１３Ａ，１３Ｂに、ベルト通し穴２２Ａ，２２Ｂを設けることとしたので、固定ベルト３８Ａ，３８Ｂと併用が可能となり、パウチ３０を一層安定して固定することができる。
(5)パウチ３０を布製のパウチカバー１０に収納することとしたので、前記パウチ３０が直に皮膚に触れることがなく、汗をかいても肌荒れがしにくい。
(6)パウチカバー１０の使用により、ストーマ自体も保護される。
(7)夜間、パウチ３０の排泄口３６を、図示しないチューブでウロガード（夜間用蓄尿バッグ）に取り付けた場合も、前記パウチ３０をパウチカバー１０で体にしっかりと取り付けているため、前記チューブによってパウチ３０が引っ張られても、ストーマまで及ぶことがなく、引っ張りによる違和感が軽減される。
【実施例２】
【００１９】
次に、図１(B)を参照しながら本発明の実施例２を説明する。なお、上述した実施例１と同一ないし対応する構成要素には同一の符号を用いることとする。前記実施例１では、収納部１２に設けた挿通口２０Ａ（又は２０Ｂ）からパウチ３０を出し入れすることとしたが、本実施例は、図１(B)に示すように、カバーの側方からパウチ３０を出し入れできる構成としたものである。本実施例のパウチカバー１０Ａは、一方の側縁に、前記ベルト通し穴２２Ａと連続する開き部５０が形成されている。そして、一方の主面１２Ｂには、前記側縁を超えて延設された折り返し片５２が設けられ、その内面（折り返したときに主面１２Ａに接触する面）には、面テープ５３が設けられている。他方の主面１２Ａの側縁近傍には、前記面テープ５３と着脱可能に係合する他の面テープ５４が設けられている。他の構成は、前記実施例１と同様である。本実施例では、前記面テープ５３，５４の係合とその解除により、開き部５０を開閉し、前記パウチ３０を収納部１２の側方からも出し入れできるとともに、前記押し返し片５２を折り返して着脱しているため、側方からパウチ３０が脱落する恐れもない。
【００２０】
なお、本発明は、上述した実施例に限定されるものではなく、本発明の要旨を逸脱しない範囲内において種々変更を加え得ることができる。例えば、以下のものも含まれる。
(1)前記実施例１で示した形状，寸法は一例であり、必要に応じて適宜変更してよい。例えば、前記絞り部１６の形状も一例であり、曲線状の絞り部としてもよい。
(2)前記実施例１で説明した取付手順や胴部への固定手順も一例であり、必要に応じて適宜変更してよい。
(3)前記実施例２で示した面テープ５３，５４による開閉は一例であり、他の公知の各種の開閉手段（ファスナやホックなど）を用いるようにしてよい。また、前記開き部５０は、両側縁に設けてもよいし、前記ベルト通し穴２２Ａ，２２Ｂと連続しないように形成してもよい。
(4)本発明のパウチカバーは、ワンピース型及びツーピース型のいずれのタイプのパウチにも適用可能である。
(5)前記実施例では、尿を溜めるためのパウチを例に挙げて説明したが、本発明のパウチカバーは、排泄物を溜める機能を有するパウチ全般に適用可能である。
【産業上の利用可能性】
【００２１】
本発明によれば、ストーマに装着するパウチを収納する収納部と、人体の胴部に巻回される紐を備えたパウチ用の布製のカバーにおいて、前記収納部の下方に、対応する位置のパウチの幅よりも狭くなった絞り部を設け、前記パウチに排泄物が溜まったときでも、前記絞り部で押さえて形を整えることとしたので、パウチ用のカバーの用途に適用できる。特に、パウチ固定ベルトを通すための通し穴を設けたことから、固定ベルトを装着可能なパウチ用のカバーとして好適である。
【図面の簡単な説明】
【００２２】
【図１】本発明のパウチカバーを示す外観斜視図であり、(A)は実施例１を示す図，(B)は実施例２を示す図である。
【図２】前記実施例１のパウチカバーへのパウチの収納手順を示す図である。
【図３】前記実施例１と比較例のパウチカバーの使用時の様子を示す正面図及び側面図である。
【符号の説明】
【００２３】
１０，１０Ａ：パウチカバー
１２：収納部
１２Ａ，１２Ｂ：主面
１３Ａ，１３Ｂ：側縁
１４：紐
１６：絞り部
１８：筒部
２０Ａ，２０Ｂ：挿通口
２２Ａ，２２Ｂ：ベルト通し穴
２４：開口
３０：パウチ
３０Ａ：下部
３２：連結口
３４Ａ，３４Ｂ：ループ
３６：排泄口
３８Ａ，３８Ｂ：固定ベルト
３９Ａ，３９Ｂ：フック
４０：腹壁
４２：排泄物
５０：開き部
５２：折り返し片
５３，５４：面テープ
１００：パウチカバー
１０２：収納部
１０４：筒部
１０６：挿通口
１０８Ａ，１０８Ｂ：ベルト通し穴
【要約】
【課題】肌荒れを防止するとともに、パウチに排泄物が溜まったときに、パウチの厚みの偏りを低減可能なパウチカバーを提供する。
【解決手段】パウチカバー１０は布製であって、パウチ３０を収納する収納部１２と、人体の胴部に巻回される紐１４によって構成されている。収納部１２には、パウチ出し入れ用の挿通口２０Ａと、固定ベルト３８Ａ，３８Ｂを通すためのベルト通し穴２２Ａ，２２Ｂと、パウチ下部３０Ａよりも幅が狭くなった絞り部１６が形成されている。前記パウチ３０及びパウチカバー１０を胴部に固定して使用すると、排泄物４２がパウチ３０に溜まっても、前記絞り部１６で押さえることによって、パウチ下部３０Ａの厚みが増すのを低減することができる。また、固定ベルト３８Ａ，３８Ｂとの併用が可能となり、パウチ３０を一層安定して固定することができる。
【選択図】図３【図１】
0004234188.tif 000002
【図２】
0004234188.tif 000003
【図３】
0004234188.tif 000004